(57)【要約】【課題】  観察距離“Ｄ”を十分に短縮することを可能とする表示装置を提供する。【解決手段】  表示装置１００は、水平方向及び垂直方向に配列された複数の画素を有する画像表示部１０と、画像表示部１０を制御する画像制御部２０とを備える。複数の画素の各々は、垂直方向に配列された複数のサブピクセルによって構成される。画像制御部２０は、水平方向に隣接する複数の画素によって構成される画素ユニットを１つの単位として、複数の画素ユニットを用いて、複数の視点画像を水平方向に沿って順次表示するように、画像表示部１０を制御する。【選択図】  図２
2012182569.tif 000002
【特許請求の範囲】
【請求項１】
複数の視点画像によって構成される立体画像を表示する表示装置であって、
水平方向及び垂直方向に配列された複数の画素を有する画像表示部と、
前記画像表示部を制御する画像制御部とを備え、
前記複数の画素の各々は、前記垂直方向に配列された複数のサブピクセルによって構成されており、
前記画像制御部は、前記水平方向に隣接する複数の画素によって構成される画素ユニットを１つの単位として、複数の画素ユニットを用いて、前記複数の視点画像を前記水平方向に沿って順次表示するように、前記画像表示部を制御することを特徴とする表示装置。
【請求項２】
前記複数のサブピクセルの各々は、前記水平方向のサイズが前記垂直方向のサイズよりも大きい形状を有することを特徴とする請求項１に記載の表示装置。
【請求項３】
前記画像制御部は、前記画素ユニットを構成する画素のうち、特定の画素を用いて、前記複数の視点画像を表示するように、前記画像表示部を制御することを特徴とする請求項１に記載の表示装置。
【請求項４】
前記画像制御部は、前記画素ユニットを構成する画素のうち、前記特定の画素以外の画素を用いて、前記画像表示部と観察者との間に配置される画像分離部の位置が正しいか否かを示す画像を表示するように、前記画像表示部を制御することを特徴とする請求項３に記載の表示装置。
【請求項５】
前記画像制御部は、前記画素ユニットを構成する画素のうち、前記特定の画素以外の画素を用いて、前記画像表示部と観察者との間に配置される画像分離部を移動すべき方向を示す画像を表示するように、前記画像表示部を制御することを特徴とする請求項３に記載の表示装置。
【発明の詳細な説明】
【技術分野】
【０００１】
本発明は、複数の視点画像によって構成される立体画像を表示する表示装置に関する。
【背景技術】
【０００２】
従来、複数の視点画像によって構成される立体画像が知られている。複数の視点画像間には視差が存在する。ここで、各視点画像は、複数の視点位置（例えば、左目視点位置及び右目用視点位置）に配置される撮像装置によって被写体が撮像される。
【０００３】
例えば、左目視点画像を構成する画素及び右目視点画像を構成する画素を水平方向において交互に表示するとともに、パララックスバリアやレンチキュラレンズなどの画像分離部を用いる技術が知られている（例えば、特許文献１）。なお、１つの画素は、例えば、ＲＧＢなどの複数のサブピクセルによって構成される。
【０００４】
ここで、立体画像を表示する表示装置は、画像表示部と、基板と、画像分離部とを備える。“基板”としては、画像表示部を形成するガラス基板（基板Ａ）、画像分離部を形成するガラス基板（基板Ｂ）などが考えられる。基板Ｂにおいて、画像分離部として機能する構成（例えば、パララックスバリアであれば、スリット部分）が画像表示部側に配置される場合には、基板Ａが“基板”である。一方で、基板Ｂにおいて、画像分離部として機能する構成（例えば、パララックスバリアであれば、スリット部分）が観察者側に配置される場合には、基板Ａ及び基板Ｂが“基板”である。画像表示部は、基板の主面のうち、観察者から離れた側に設けられた主面に設けられる。一方で、画像分離部は、基板の主面のうち、観察者に近い側に設けられた主面に設けられる。
【０００５】
以下においては、観察者の眼間距離（すなわち、集光点間距離）が“Ｅ”であり、基板の厚みが“ｄ”であり、画素間距離が“Ｐ”であり、観察者の眼から基板までの距離（以下、観察距離）が“Ｄ”であるケースについて説明する。
【０００６】
このような場合に、観察者が立体画像を視認するためには、観察距離は、Ｄ＝ｄ×Ｅ／Ｐの関係を満たす必要がある。従って、観察距離“Ｄ”を短縮するためには、（１）眼間距離“Ｅ”を減少する、（２）基板の厚み“ｄ”を減少する、（３）画素間距離“Ｐ”を増大することが考えられる。
【０００７】
例えば、画素間の距離“Ｐ”を増大するために、垂直方向のサイズよりも水平方向のサイズが大きいサブピクセル（以下、横長のサブピクセル）を用いる技術が提案されている。
【先行技術文献】
【特許文献】
【０００８】
【特許文献１】特開２００４−１４４７９２
【発明の概要】
【発明が解決しようとする課題】
【０００９】
しかしながら、携帯電話などの小型端末では、横長のサブピクセルを用いても、観察距離“Ｄ”の短縮が不十分であるケースが想定される。
【００１０】
そこで、本発明は、上述した課題を解決するためになされたものであり、観察距離“Ｄ”を十分に短縮することを可能とする表示装置を提供することを目的とする。
【課題を解決するための手段】
【００１１】
第１の特徴に係る表示装置は、複数の視点画像によって構成される立体画像を表示する。表示装置は、水平方向及び垂直方向に配列された複数の画素を有する画像表示部（画像表示部１０）と、前記画像表示部を制御する画像制御部（画像制御部２０）とを備える。前記複数の画素の各々は、前記垂直方向に配列された複数のサブピクセルによって構成される。前記画像制御部は、前記水平方向に隣接する複数の画素によって構成される画素ユニットを１つの単位として、複数の画素ユニットを用いて、前記複数の視点画像を前記水平方向に沿って順次表示するように、前記画像表示部を制御する。
【００１２】
第１の特徴において、前記複数のサブピクセルの各々は、前記水平方向のサイズが前記垂直方向のサイズよりも大きい形状を有する。
【００１３】
第１の特徴において、前記画像制御部は、前記画素ユニットを構成する画素のうち、特定の画素を用いて、前記複数の視点画像を表示するように、前記画像表示部を制御する。
【００１４】
第１の特徴において、前記画像制御部は、前記画素ユニットを構成する画素のうち、前記特定の画素以外の画素を用いて、前記画像表示部と観察者との間に配置される画像分離部の位置が正しいか否かを示す画像を表示するように、前記画像表示部を制御する。
【００１５】
第１の特徴において、前記画像制御部は、前記画素ユニットを構成する画素のうち、前記特定の画素以外の画素を用いて、前記画像表示部と観察者との間に配置される画像分離部を移動すべき方向を示す画像を表示するように、前記画像表示部を制御する。
【発明の効果】
【００１６】
本願によれば、観察距離“Ｄ”を十分に短縮することを可能とする表示装置を提供することができる。
【図面の簡単な説明】
【００１７】
【図１】図１は、第１実施形態に係る表示装置１００を示す模式図である。
【図２】図２は、第１実施形態に係る表示装置１００を示すブロック図である。
【図３】図３は、第１実施形態に係る画像表示部１０を示す図である。
【図４】図４は、第１実施形態に係る観察距離“Ｄ”を示す図である。
【図５】図５は、第１実施形態に係る観察距離“Ｄ”を示す図である。
【図６】図６は、変更例１に係る表示画像の一例を示す図である。
【図７】図７は、変更例１に係る画像表示部１０の一例を示す図である。
【図８】図８は、変更例１に係る画像分離部３０の位置合わせを示す図である。
【図９】図９は、変更例１に係る画像分離部３０の位置合わせを示す図である。
【図１０】図１０は、変更例２に係る表示画像の一例を示す図である。
【図１１】図１１は、変更例２に係る表示画像の一例を示す図である。
【図１２】図１２は、変更例２に係る表示画像の一例を示す図である。
【図１３】図１３は、変更例２に係る表示画像の一例を示す図である。
【図１４】図１４は、変更例３に係る表示画像の一例を示す図である。
【図１５】図１５は、変更例４に係る画像分離部３０を示す図である。
【図１６】図１６は、変更例５に係る画素ユニットを示す図である。
【図１７】図１７は、変更例６に係る観察距離“Ｄ”を示す図である。
【図１８】図１８は、変更例６に係る観察距離“Ｄ”を示す図である。
【発明を実施するための形態】
【００１８】
以下において、本発明の実施形態に係る表示装置について、図面を参照しながら説明する。なお、以下の図面の記載において、同一又は類似の部分には、同一又は類似の符号を付している。
【００１９】
［実施形態の概要］
実施形態に係る表示装置は、複数の視点画像によって構成される立体画像を表示する。表示装置は、水平方向及び垂直方向に配列された複数の画素を有する画像表示部と、画像表示部を制御する画像制御部とを備える。複数の画素の各々は、垂直方向に配列された複数のサブピクセルによって構成される。画像制御部は、水平方向に隣接する複数の画素によって構成される画素ユニットを１つの単位として、複数の画素ユニットを用いて、複数の視点画像を水平方向に沿って順次表示するように、画像表示部を制御する。
【００２０】
実施形態では、画像制御部は、複数の画素ユニットを用いて、複数の視点画像を水平方向に沿って順次表示するように、画像表示部を制御する。１つの画素ユニットは、水平方向に隣接する複数の画素によって構成される。従って、画素間距離“Ｐ”の増大によって、観察距離“Ｄ”を短縮することができる。
【００２１】
なお、表示装置は、投写型映像表示装置、プラズマディスプレイ、液晶ディスプレイなどである。
【００２２】
また、表示装置が携帯端末に設けられるケースも想定されるため、本明細書で用いる“水平方向”や“垂直方向”という用語は、携帯端末の使い方によっては、厳密な意味で水平方向や垂直方向を示すものではない。例えば、本明細書で用いる“水平方向”は、観察者の左眼及び右眼を結ぶ線が伸びる方向を意味する。例えば、本明細書で用いる“垂直方向”は、“水平方向”に対して垂直な方向を意味する。
【００２３】
実施形態では、立体画像は、左目視点画像及び右目視点画像によって構成される。左目視点画像を構成する画素及び右目視点画像を構成する画素は、水平方向において交互に表示される。
【００２４】
［第１実施形態］
（表示装置）
以下において、第１実施形態に係る表示装置について、図面を参照しながら説明する。図１は、第１実施形態に係る表示装置１００を示す模式図である。図２は、第１実施形態に係る表示装置１００を示すブロック図である。
【００２５】
図１に示すように、表示装置１００は、画像表示部１０と、基板２０と、画像分離部３０とを有する。
【００２６】
画像表示部１０は、複数の画素によって構成される。各画素は、ＲＧＢなどのサブピクセルによって構成される。画像表示部１０は、基板２０の主面のうち、観察者から離れた側の主面に設けられる。なお、画像表示部１０の詳細については後述する（図３を参照）。
【００２７】
基板２０は、ガラスや樹脂などの透明部材である。基板２０は、タッチパネルに対応していてもよい。なお、基板２０がタッチパネルに対応している場合には、基板２０の厚みが増大することに留意すべきである。
【００２８】
画像分離部３０は、左目視点画像を構成する画素から出射される映像光と右目視点画像を構成する画素から出射される映像光とを分離する。画像分離部３０は、パララックスバリアやレンチキュラレンズなどである。ここでは、画像分離部３０がパララックスバリアであるケースについて例示する。
【００２９】
なお、画像分離部３０は、基板２０の主面上を摺動可能に構成される。観察者が立体画像を視認するためには、画像分離部３０の摺動によって、画像分離部３０を適切な位置に配置する必要がある。
【００３０】
ここで、第１実施形態では、観察者の眼間距離が“Ｅ”であり、基板２０の厚みが“ｄ”であり、画素間距離が“Ｐ”であり、観察者の眼から基板２０までの距離（以下、観察距離）が“Ｄ”であるケースについて説明する。
【００３１】
また、第１実施形態では、画像分離部３０によって分離された映像光が集光される集光点の間の距離（以下、集光点間距離）が“Ｅ１”で表される。一般的には、集光点間距離“Ｅ１”は、眼間距離“Ｅ”と同様である。
【００３２】
このような場合に、観察者が立体画像を視認するためには、観察距離は、Ｄ＝ｄ×Ｅ１（≒Ｅ）／Ｐの関係を満たす必要があることに留意すべきである。
【００３３】
図２に示すように、表示装置１００は、画像表示部１０と、画像制御部２０とを有する。
【００３４】
画像表示部１０は、上述したように、複数の画素によって構成される。具体的には、画像表示部１０は、図３に示すように、水平方向及び垂直方向に配列された複数の画素を有する。
【００３５】
ここで、垂直方向に配列された複数のサブピクセル（例えば、ＲＧＢの３つのサブピクセル）によって１つの画素が構成される。水平方向に隣接する複数の画素（ここでは、２つの画素）によって１つの画素ユニットが構成される。また、水平方向に隣接する複数の画素ユニット（ここでは、２つの画素ユニット）によって１つの画素セットが構成される。
【００３６】
水平方向に隣接する画素ユニットのうち、一方の画素ユニットを構成する画素には、左目視点画像を構成する画素が表示される。水平方向に隣接する画素ユニットのうち、他方の画素ユニットを構成する画素には、右目視点画像を構成する画素が表示される。すなわち、画素ユニットを１つの単位として、複数の画素ユニットには、左目視点画像及び右目視点画像が水平方向に沿って順に表示される。
【００３７】
また、１つの画素ユニットを構成する画素（すなわち、水平方向に隣接する画素）のうち、一方の画素が第１タイプの画素である。１つの画素ユニット（すなわち、水平方向に隣接する画素）を構成する画素のうち、他方の画素が第２タイプの画素である。
【００３８】
ここで、左目視点画像を表示すべき第１タイプの画素は、右目視点画像を表示すべき第１タイプの画素と隣接する。或いは、左目視点画像を表示すべき第２タイプの画素は、右目視点画像を表示すべき第２タイプの画素と隣接する。すなわち、異なる視点かつ同じタイプの画素を１つの単位として、第１タイプの画素及び第２タイプの画素が水平方向に交互に配列されている。なお、第１タイプの画素及び第２タイプの画素には、同じ画像が表示されてもよく、異なる画像が表示されてもよい。
【００３９】
詳細には、第１実施形態では、画像表示部１０は、ＦＰＤ（ＦＬＡＴ  ＰＡＮＮＥＬ  ＤＩＳＰＬＡＹ）タイプの画素配列を９０°回転した形態を有する。従って、１つの画素を構成する複数のサブピクセルの各々は、水平方向のサイズが垂直方向のサイズよりも大きい形状を有する。これによって、ＦＰＤタイプの画素配列に比べて、画素間距離が“Ｐ”が増大する。
【００４０】
以下において、“Ｒ”は、赤色サブピクセルを示しており、“Ｇ”は、緑色サブピクセルを示しており、“Ｂ”は、青色サブピクセルを示している。“１”は、右眼画素を示しており、“２”は、左眼画素を示している。“ａ”は、第１タイプの画素を示しており、“ｂ”は、第２タイプの画素を示している。
【００４１】
従って、“Ｒ１ａ”は、赤色サブピクセル、右眼画素、第１タイプを示している。“Ｒ２ｂ”は、赤色サブピクセル、左眼画素、第２タイプを示している。
【００４２】
なお、第１タイプの画素及び第２タイプの画素には、同じ画像が表示されてもよく、異なる画像が表示されてもよい。
【００４３】
ここで、第１タイプの画素及び第２タイプの画素に同じ画像が表示される場合には、画素のタイプを問わずに、右目視点画像が右眼で観察され、左目視点画像が左眼で観察されれば、観察者は、立体画像を視認することができる。
【００４４】
一方で、第１タイプの画素及び第２タイプの画素に異なる画像が表示される場合には、右目視点画像が右眼で観察され、右目視点画像が表示される画素と同じタイプの画素に表示される左目視点画像が左眼で観察されれば、観察者は、立体画像を視認することができる。
【００４５】
画像制御部２０は、画像表示部１０を制御する。具体的には、画像制御部２０は、画素ユニットを１つの単位として、複数の画素ユニットを用いて、複数の視点画像（左目視点画像及び右目視点画像）を水平方向に沿って交互に表示するように画像表示部１０を制御する。
【００４６】
ここで、画像制御部２０は、画素ユニットを構成する画素のうち、特定の画素（例えば、第１タイプの画素又は第２タイプの画素）を用いて、複数の視点画像（左目視点画像及び右目視点画像）を表示するように画像表示部１０を制御してもよい。言い換えると、第１タイプの画素及び第２タイプの画素のいずれか一方が左目視点画像及び右目視点画像である。
【００４７】
（第１タイプの画素及び第２タイプの画素に同じ画像が表示されるケース）
このようなケースでは、図４に示すように、画素ユニットを１つの単位として、左目視点画像及び右目視点画像が水平方向に順に表示される。
【００４８】
このようなケースでは、水平方向に隣接する複数の画素によって１つの画素ユニットが構成されるため、画素間距離“Ｐ”が増大する。従って、観察距離“Ｄ”を減少することができる。但し、集光点間距離“Ｅ１”は、眼間距離“Ｅ”と同様である。
【００４９】
（第１タイプの画素及び第２タイプの画素に異なる画像が表示されるケース）
このようなケースでは、左目視点画像及び右目視点画像は、特定の画素（第１タイプの画素又は第２タイプの画素）に表示される。ここでは、左目視点画像及び右目視点画像が第１タイプの画素に表示されるケースについて例示する。図５に示すように、観察者は、第１タイプの画素のみを視認する。
【００５０】
このように、観察者が第１タイプの画素のみを視認するため、集光点間距離“Ｅ１”は、眼間距離“Ｅ”よりも減少する。例えば、集光点間距離“Ｅ１”は、眼間距離“Ｅ”の２／３である。従って、観察距離“Ｄ”を減少することができる。
【００５１】
なお、図５に示すケースでも、図４に示すケースと同様に、画素間距離“Ｐ”が増大する。従って、観察距離“Ｄ”を減少することができる。
【００５２】
（作用及び効果）
第１実施形態では、画像制御部２０は、複数の画素ユニットを用いて、複数の視点画像（左目視点画像及び右目視点画像）を水平方向に沿って交互に表示するように画像表示部１０を制御する。１つの画素ユニットは、水平方向に隣接する複数の画素によって構成される。従って、画素間距離“Ｐ”の増大によって、観察距離“Ｄ”を短縮することができる。
【００５３】
第１実施形態では、画像制御部は、画素ユニットを構成する画素のうち、特定の画素（例えば、第１タイプの画素）を用いて、複数の視点画像（左目視点画像及び右目視点画像）を表示するように画像表示部１０を制御する。
【００５４】
従って、１つの画素ユニットを構成する画素のうち、特定の画素を観察者が視認することによって、集光点間距離“Ｅ”を眼間距離よりも減少することができる。集光点間距離“Ｅ”の減少によって、観察距離“Ｄ”を短縮することができる。この設計状態で、第２タイプの画素に第１タイプの画素に表示すべき画像と同じ画像を表示してもよい。
【００５５】
［変更例１］
以下において、第１実施形態の変更例１について説明する。以下においては、第１実施形態に対する差異について主として説明する。
【００５６】
具体的には、第１実施形態では、画像制御部は、画素ユニットを構成する画素のうち、特定の画素（例えば、第１タイプの画素）を用いて、複数の視点画像（左目視点画像及び右目視点画像）を表示するように画像表示部１０を制御する。これに対して、変更例１では、画像制御部は、画素ユニットを構成する画素のうち、特定の画素（例えば、第１タイプの画素）以外の画素（例えば、第２タイプの画素）を用いて、画像分離部３０の位置が正しいか否かを示す画像を表示するように画像表示部１０を制御する。
【００５７】
例えば、図６及び図７に示すように、第１タイプの画素を用いて、複数の視点画像（左目視点画像及び右目視点画像）が表示されるケースについて例示する。このようなケースにおいて、画像制御部は、第２タイプの画素を用いて、黒画像を表示するように画像表示部１０を制御する。なお、第１タイプの画素を用いて表示される画像は白画像であってもよい。
【００５８】
図８に示すように、画像分離部３０の位置が正しければ、観察者は、第１タイプの画素に表示される複数の視点画像（左目視点画像及び右目視点画像）を視認する。これに対して、図９に示すように、画像分離部３０の位置がずれていれば、観察者は、第２タイプの画素に表示される黒画像を視認する。
【００５９】
（作用及び効果）
変更例１では、特定の画素（例えば、第１タイプの画素）以外の画素（例えば、第２タイプの画素）を用いて、画像分離部３０の位置が正しいか否かを示す画像が表示される。従って、画像分離部３０の位置ズレを容易に修正することができる。
【００６０】
［変更例２］
以下において、第１実施形態の変更例２について説明する。以下においては、変更例１に対する差異について主として説明する。
【００６１】
変更例１では、画像制御部は、画素ユニットを構成する画素のうち、特定の画素（例えば、第１タイプの画素）以外の画素（例えば、第２タイプの画素）を用いて、画像分離部３０の位置が正しいか否かを示す画像を表示するように画像表示部１０を制御する。これに対して、変更例２では、画像制御部は、画素ユニットを構成する画素のうち、特定の画素（例えば、第１タイプの画素）以外の画素（例えば、第２タイプの画素）を用いて、画像分離部３０を移動すべき方向を示す画像を表示するように画像表示部１０を制御する。
【００６２】
ここで、図１０〜図１３は、画像分離部３０を移動すべき方向を示す画像の一例を示している。図１０〜図１３に示す画像は、画像の全体（フレームの全体）を示していることに留意すべきである。
【００６３】
例えば、図１０に示すように、画像分離部３０を移動すべき方向を示す画像として、黒画像を背景として白抜きの矢印を表示する。なお、画像分離部３０を移動すべき方向を示す画像は、特定の画素（例えば、第１タイプの画素）以外の画素（例えば、第２タイプの画素）を用いて表示される。
【００６４】
ここでは、画像分離部３０の位置が完全にずれていると、黒画像の全体又は黒画像の一部が２次元画像として視認される。画像分離部３０の位置が少しだけずれていると、“１ｂ”の画素又は“２ｂ”の画素を用いて表示される画像（矢印）が２次元画像として視認される。一方で、画像分離部３０の位置が正しいと、“１ａ”の画素及び“２ａ”の画素を用いて表示される画像（白画像）が視認される。
【００６５】
或いは、図１１に示すように、特定の画素（例えば、第１タイプの画素）以外の画素（例えば、第２タイプの画素）を用いて、図１０と同様の画像を表示しながら、特定の画素（例えば、第１タイプの画素）を用いて、画像の４隅に４つの丸印が表示されてもよい。
【００６６】
ここでは、画像分離部３０の位置が完全にずれていると、黒画像の全体又は黒画像の一部が２次元画像として視認される。画像分離部３０の位置が少しだけずれていると、“１ｂ”の画素又は“２ｂ”の画素を用いて表示される画像（矢印）が２次元画像として視認される。一方で、画像分離部３０の位置が正しいと、“１ａ”の画素及び“２ａ”の画素を用いて表示される画像（矢印とは異なる丸印）が視認される。
【００６７】
或いは、図１２に示すように、特定の画素（例えば、第１タイプの画素）以外の画素（例えば、第２タイプの画素）を用いて、図１０と同様の画像を表示しながら、特定の画素（例えば、第１タイプの画素）を用いて、画像の中央に１つの丸印が表示されてもよい。なお、第１タイプの画素によって表示される丸印は視差を有している。
【００６８】
ここでは、画像分離部３０の位置が完全にずれていると、黒画像の全体又は黒画像の一部が２次元画像として視認される。画像分離部３０の位置が少しだけずれていると、“１ｂ”の画素又は“２ｂ”の画素を用いて表示される（矢印）が２次元画像として視認される。一方で、画像分離部３０の位置が正しいと、“１ａ”の画素及び“２ａ”の画素を用いて表示される画像（丸印）が立体視で視認される。
【００６９】
或いは、図１３に示すように、画像分離部３０を移動すべき方向を示す画像として、白画像を背景として矢印を表示してもよい。なお、画像分離部３０を移動すべき方向を示す画像は、特定の画素（例えば、第１タイプの画素）以外の画素（例えば、第２タイプの画素）を用いて表示される。また、特定の画素（例えば、第１タイプの画素）を用いて、黒画像を背景として複数の白抜きの丸印が表示される。なお、第１タイプの画素によって表示される中央の白抜きの丸印は視差を有している。
【００７０】
ここでは、画像分離部３０の位置が完全にずれていると、白画像の全体又は白画像の一部が２次元画像として視認される。画像分離部３０の位置が少しずれていると、“１ｂ”の画素又は“２ｂ”の画素を用いて表示される画像（矢印）が２次元画像として視認される。一方で、画像分離部３０の位置が正しいと、“１ａ”の画素及び“２ａ”の画素を用いて表示される画像（中央の白抜きの丸印）が立体視で視認される。
【００７１】
（作用及び効果）
変更例２では、特定の画素（例えば、第１タイプの画素）以外の画素（例えば、第２タイプの画素）を用いて、画像分離部３０を移動すべき方向を示す画像が表示される。従って、画像分離部３０の位置ズレを容易に修正することができる。
【００７２】
［変更例３］
以下において、第１実施形態の変更例３について説明する。以下においては、変更例１に対する差異について主として説明する。
【００７３】
変更例１では、画像制御部は、画素ユニットを構成する画素のうち、特定の画素（例えば、第１タイプの画素）以外の画素（例えば、第２タイプの画素）を用いて、画像分離部３０の位置が正しいか否かを示す画像を表示するように画像表示部１０を制御する。これに対して、変更例３では、画像制御部は、画像分離部３０の位置を合わせるための画像を表示するように画像表示部１０を制御する。
【００７４】
ここで、図１４は、画像分離部３０の位置を合わせるための画像の一例を示している。図１４に示す画像は、画像の全体（フレームの全体）を示していることに留意すべきである。
【００７５】
例えば、図１４に示すように、画像分離部３０の位置を合わせるための画像として、赤画像及び青画像が表示される。“１ａ”及び“１ｂ”の画素を赤画像が用いて表示される。“２ａ”及び“２ｂ”の画素を青画像が用いて表示される。
【００７６】
ここでは、画像分離部３０の位置がずれていると、“２ａ”の画素及び“２ｂ”の画素によって表示される画像（青画像）が両眼で視認される。或いは、画像分離部３０の位置がずれていると、“１ａ”の画素及び“１ｂ”の画素によって表示される画像（赤画像）が両眼で視認される。画像分離部３０の位置が正しいと、“１ａ”の画素及び“２ａ”の画素によって表示される画像（青画像及び赤画像）が両眼で視認される。
【００７７】
（作用及び効果）
変更例３では、画像分離部３０の位置を合わせるための画像が表示される。従って、画像分離部３０の位置ズレを容易に修正することができる。
【００７８】
［変更例４］
以下において、第１実施形態の変更例４について説明する。以下においては、第１実施形態に対する相違点について主として説明する。
【００７９】
具体的には、第１実施形態では、画像分離部３０として、パララックスバリアを用いるケースについて例示した。これに対して、変更例４では、図１５に示すように、画像分離部３０として、レンチキュラレンズを用いる。
【００８０】
［変更例５］
以下において、第１実施形態の変更例５について説明する。以下においては、第１実施形態に対する相違点について主として説明する。
【００８１】
具体的には、第１実施形態では、２つの画素によって画素ユニットが構成され、２つの画素ユニットによって画素セットが構成される。これに対して、変更例５では、図１６に示すように、４つの画素によって画素ユニットが構成され、２つのユニットによって画素セットが構成される。
【００８２】
なお、垂直方向において画素ユニットを構成する画素数は、“２”に限定されるものではない。垂直方向において画素ユニットを構成する画素数は、“３”以上であってもよい。
【００８３】
［変更例６］
以下において、第１実施形態の変更例６について説明する。以下においては、第１実施形態に対する相違点について主として説明する。
【００８４】
具体的には、第１実施形態では、水平方向に隣接する２つの画素によって画素ユニットが構成される。これに対して、変更例６では、水平方向に隣接する３つの画素によって画素ユニットが構成される。なお、水平方向に隣接する４つ以上の画素によって画素ユニットが構成されてもよい。
【００８５】
（第１タイプの画素、第２タイプの画素及び第３タイプの画素に同じ画像が表示されるケース）
このようなケースでは、図１７に示すように、画素ユニットを１つの単位として、左目視点画像及び右目視点画像が水平方向に順に表示される。
【００８６】
このようなケースでは、水平方向に隣接する３つの画素によって１つの画素ユニットが構成されるため、図４に示すケースよりも、画素間距離“Ｐ”が増大する。従って、観察距離“Ｄ”を減少することができる。但し、集光点間距離“Ｅ１”は、眼間距離“Ｅ”と同様である。
【００８７】
（第１タイプの画素、第２タイプの画素及び第３タイプの画素に異なる画像が表示されるケース）
このようなケースでは、左目視点画像及び右目視点画像は、特定の画素（第１タイプの画素、第２タイプの画素又は第３タイプの画素）に表示される。ここでは、左目視点画像及び右目視点画像が第２タイプの画素に表示されるケースについて例示する。図１８に示すように、観察者は、第２タイプの画素のみを視認する。
【００８８】
このように、観察者が第１タイプの画素のみを視認するため、集光点間距離“Ｅ１”は、眼間距離“Ｅ”よりも減少する。例えば、集光点間距離“Ｅ１”は、眼間距離“Ｅ”の３／５である。従って、観察距離“Ｄ”を減少することができる。
【００８９】
なお、図１８に示すケースでも、図１７に示すケースと同様に、画素間距離“Ｐ”が増大する。従って、観察距離“Ｄ”を減少することができる。この設計状態で、全タイプの画素に第２タイプの画素に表示すべき画像と同じ画像を表示してもよい。
【００９０】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９１】
実施形態では、立体画像を構成する複数の視点画像が左目視点画像及び右目視点画像であるケースについて例示した。しかしながら、実施形態は、これに限定されるものではない。例えば、複数の視点画像は、３つ以上の視点画像を含んでもよい。３つ以上の視点画像は、画素ユニットを１つの単位として、複数の画素ユニットを用いて、水平方向に沿って順次表示される。
【００９２】
実施形態では特に触れていないが、画像分離部３０の位置を合わせるための画像は、画像分離部３０が固定されている場合において、観察者が観察位置を確認するために用いることも可能である。
【００９３】
実施形態では、画像分離部３０として、垂直方向に伸びるスリットを光透過領域（視聴領域）として有するストライプ型のパララックスバリアを用いるケースについて例示した。しかしながら、画像分離部３０として、斜め方向に伸びるスリットを光透過領域（視聴領域）として有するバリア、階段状に光透過領域（視聴領域）が設けられたステップバリアを用いてもよい。このようなケースにおいては、画像を分離する最小単位がサブピクセルであるため、本明細書で用いる“画素ユニット”は、水平方向に隣接する複数のピクセルによって構成される“ピクセルユニット”と読み替えてもよい。
【符号の説明】
【００９４】
１０…画像表示部、２０…基板、３０…画像分離部、４０…画像制御部、１００…表示装置
【図１】
2012182569.tif 000003
【図２】
2012182569.tif 000004
【図３】
2012182569.tif 000005
【図４】
2012182569.tif 000006
【図５】
2012182569.tif 000007
【図６】
2012182569.tif 000008
【図７】
2012182569.tif 000009
【図８】
2012182569.tif 000010
【図９】
2012182569.tif 000011
【図１０】
2012182569.tif 000012
【図１１】
2012182569.tif 000013
【図１２】
2012182569.tif 000014
【図１３】
2012182569.tif 000015
【図１４】
2012182569.tif 000016
【図１５】
2012182569.tif 000017
【図１６】
2012182569.tif 000018
【図１７】
2012182569.tif 000019
【図１８】
2012182569.tif 000020